(57)【要約】【課題】環境分野や食品分野や医療分野の検査・診断等に使用されるバイオセンサキットにおいて、サンプル溶液中の検知対象物質を底面のレセプターに結合させることができることを目的とする。【解決手段】サンプル溶液６および標識溶液９を動作電極４上面に対して垂直に振動させる構成において、前記サンプル溶液６中の検知対象物質２および前記標識溶液９中の検知対象物質捕捉物質８を底面のレセプター３および前記検知対象物質２と接触し結合することができる。【選択図】図１
2006098110.tif 000002
【特許請求の範囲】
【請求項１】
基板上に検知対象物質と特異的に結合するレセプターが固相化された動作電極および前記動作電極の周囲に液留め容器を形成し、前記検知対象物質が含まれているサンプル溶液を前記液留め容器内に滴下し前記検知対象物質と前記レセプターとが結合し、次に酵素を標識した前記検知対象物質と特異的に結合する検知対象物質捕捉物質が含まれている標識溶液を前記液留め容器内に滴下し前記レセプターと結合している前記検知対象物質と前記検知対象物質捕捉物質とが結合し、次に前記酵素と反応し酵素反応物質を生成させる基質を加え前記酵素反応物質が電気化学的に電気信号として前記検知対象物質を検知する方法において、前記サンプル溶液および前記標識溶液を前記動作電極上面に対して垂直に振動させることにより前記レセプターと前記検体対象物質および前記検知対象物質捕捉物質とを結合させることを特徴とするアナライト結合反応方法。
【請求項２】
検知対象物質が含まれているサンプル溶液および酵素を標識した前記検知対象物質と特異的に結合する検知対象物質捕捉物質が含まれている標識溶液が動作電極上面に対して垂直に振動させている方法として、共振させることを特徴とする請求項１記載のアナライト結合反応方法。
【請求項３】
検知対象物質が含まれているサンプル溶液および酵素を標識した前記検知対象物質と特異的に結合する検知対象物質捕捉物質が含まれている標識溶液が動作電極上面に対して垂直に振動，共振させる方法として、基板を振動，共振させることを特徴とする請求項１または２記載のアナライト結合反応方法。
【請求項４】
基板を振動，共振させる方法として、前記基板の表裏面にばねを設けることを特徴とする請求項３記載のアナライト結合反応方法。
【請求項５】
基板を振動，共振させる方法として、前記基板に磁性体を形成し前記磁性体と対に磁体設け、前記磁体のＮ，Ｓ極を交互に変更させ前記基板を振動，共振させることを特徴とする請求項３記載のアナライト結合反応方法。
【請求項６】
基板を振動，共振させる方法として、前記基板に＋あるいは−の電荷を帯電させた帯電部位を形成し、前記帯電部位と対になるように電極を設け、前記電極を＋，−を交互に変更させることを特徴とする請求項３記載のアナライト結合反応方法。
【請求項７】
基板を振動，共振させる方法として、前記基板に温度により変形する変形部位を形成し、前記変形部位に接するようにペルチェ素子を設け、前記ペルチェ素子を冷・暖を交互に変更させることを特徴とする請求項３記載のアナライト結合反応方法。
【請求項８】
動作電極上に伸縮可能な膜を形成し、前記膜にレセプターが固定化され前記レセプターが前記動作電極上面に対して垂直に振動させることを特徴とする請求項１記載のアナライト結合反応方法。
【請求項９】
レセプターを振動させる方法として、前記レセプターに磁性体を結合させておき、動作電極上面に対して垂直方向に磁体を設け、前記磁体のＮ，Ｓ極を交互に変更させることを特徴とする請求項８記載のアナライト結合反応方法。
【請求項１０】
レセプターを振動させる方法として、動作電極上面に対して垂直方向に電極を設け、前記電極を＋，−を交互に変更させることを特徴とする請求項８記載のアナライト結合反応方法。
【請求項１１】
検知対象物質および検知対象物質捕捉物質をレセプターに近づけさせることを特徴とする請求項１記載のアナライト結合反応方法。
【請求項１２】
検知対象物質および検知対象物質捕捉物質をレセプターに近づけさせる方法として、サンプル溶液および標識溶液を吸入・吐出させる分注器で前記レセプター付近から前記サンプル溶液および前記標識溶液を吐出させることを特徴とする請求項１１記載のアナライト結合反応方法。
【請求項１３】
検知対象物質および検知対象物質捕捉物質をレセプターに近づけさせる方法として、サンプル溶液および標識溶液に磁性体を混合させ、動作電極上面に対して垂直方向に磁体を設け、前記磁体によって前記磁性体を反発させることを特徴とする請求項１１記載のアナライト結合反応方法。
【請求項１４】
検知対象物質および検知対象物質捕捉物質をレセプターに近づけさせる方法として、動作電極上面に対して垂直方向にペルチェ素子を設け、前記ペルチェ素子をサンプル溶液および標識溶液の液温以上に温めることを特徴とする請求項１１記載のアナライト結合反応方法。
【請求項１５】
検知対象物質および検知対象物質捕捉物質をレセプターに近づけさせる方法として、動作電極上面に対して垂直方向に電極を設け、前記電極を＋あるいは−にすることを特徴とする請求項１１記載のアナライト結合反応方法。
【請求項１６】
検知対象物質および検知対象物質捕捉物質をレセプターに近づけさせる方法として、動作電極上から泡を発生させることを特徴とする請求項１１記載のアナライト結合反応方法。
【請求項１７】
検知対象物質および検知対象物質捕捉物質をレセプターに近づけさせる方法として、サンプル溶液および標識溶液が液留め容器内に滴下された後回転させることを特徴とする請求項１１記載のアナライト結合反応方法。
【請求項１８】
検知対象物質および検知対象物質捕捉物質をレセプターに近づけさせる方法として、液留め容器内における動作電極以外の基板上に吸収剤を設けることを特徴とする請求項１１記載のアナライト結合反応方法。
【発明の詳細な説明】
【技術分野】
【０００１】
本発明は、検知対象物、例えば、抗原となり得る化学物質や環境ホルモンやたんぱく質や微生物・ウイルス等迅速に検知するのに使用される環境分野や食品分野や医療分野の検査・診断におけるバイオセンサキットのアナライト結合反応方法。
【背景技術】
【０００２】
従来、この種のバイオセンサキットにおける生体試料アナライトの結合反応する方法は、特許文献１に記載されたものが知られている。
【０００３】
以下、そのバイオセンサキットにおける生体試料アナライトの結合反応する方法について図２４および図２５を参照しながら説明する。
【０００４】
図に示すように、検知対象物質１０１と特異的に結合するレセプター１０２を固相化した凹部１０３を形成する基板１０４を横揺れ方式の撹拌装置１０５に固定化し、前記検知対象物質１０１が含まれているサンプル溶液１０６を前記凹部１０３内に滴下し前記撹拌装置１０５で撹拌しながら前記検知対象物質１０１と前記レセプター１０２を結合させる。
【０００５】
次に前記レセプター１０２と結合していない余分な前記検知対象物質１０１を取り除くために洗浄する。次に酵素１０７を標識した前記検知対象物質１０１と特異的に結合する検知対象物質捕捉物質１０８が含まれている標識溶液１０９を前記凹部１０３内に滴下し前記撹拌装置１０５で撹拌しながら前記レセプター１０２と結合している前記検知対象物質１０１と前記検知対象物質捕捉物質１０８を結合させる。次に前記検知対象物質１０１と結合していない余分な前記検知対象物質捕捉物質１０８を取り除くために洗浄する。次に前記酵素１０７と反応し酵素反応物質１１０を生成させる基質１１１を加え、前記酵素反応物質１１０の発色あるいは蛍光を強度として検知し、前記検知対象物質１０１を検知するというものであった。
【特許文献１】特開平１０−１０８６６３号公報
【発明の開示】
【発明が解決しようとする課題】
【０００６】
このような従来のアナライト結合反応方法では、撹拌方式が横揺れなのでサンプル溶液の上方にある検知対象物質および標識溶液の上方にある検知対象物質捕捉物質は底面に固相化されているレセプターおよび前記レセプターと結合している前記検体対象物質と接触できず結合できないという課題があり、前記サンプル溶液の上方にある検知対象物質および標識溶液の上方にある検知対象物質捕捉物質を底面に固相化されている前記レセプターおよび前記レセプターと結合している前記検体対象物質と接触し結合することができることが要求されている。
【０００７】
本発明は、このような従来の課題を解決するものであり、前記サンプル溶液の上方にある前記検知対象物質および前記標識溶液の上方にある前記検知対象物質捕捉物質を底面に固相化されているレセプターおよび前記レセプターと結合している前記検体対象物質と接触し結合することができるアナライト結合反応方法を提供することを目的としている。
【課題を解決するための手段】
【０００８】
本発明のアナライト結合反応方法は上記目的を達成するために、サンプル溶液および標識溶液を動作電極上面に対して垂直に振動させることとしたものである。
【０００９】
この手段により、前記サンプル溶液の上方にある検知対象物質および前記標識溶液の上方にある検知対象物質捕捉物質を底面に固相化されているレセプターおよび前記レセプターと結合している前記検体対象物質と接触し結合することができるアナライト結合反応方法が得られる。
【００１０】
また他の手段は、検知対象物質が含まれているサンプル溶液および酵素を標識した前記検知対象物質と特異的に結合する検知対象物質捕捉物質が含まれている標識溶液が動作電極上面に対して垂直に振動させている方法として、共振させることとしたものである。
【００１１】
この手段により、前記サンプル溶液および前記標識溶液が液留め容器内から飛び出すことなく、前記サンプル溶液の上方にある前記検知対象物質および前記標識溶液の上方にある前記検知対象物質捕捉物質を底面に固相化されているレセプターおよび前記レセプターと結合している前記検体対象物質と接触し結合することができるアナライト結合反応方法が得られる。
【００１２】
また他の手段は、検知対象物質が含まれているサンプル溶液および酵素を標識した前記検知対象物質と特異的に結合する検知対象物質捕捉物質が含まれている標識溶液が動作電極上面に対して垂直に振動，共振させる方法として、基板を振動，共振させることとしたものである。
【００１３】
この手段により、前記基板に振動，共振させることで前記サンプル溶液および前記標識溶液が液留め容器内から飛び出すことなく、前記サンプル溶液の上方にある前記検知対象物質および前記標識溶液の上方にある前記検知対象物質捕捉物質を底面に固相化されているレセプターおよび前記レセプターと結合している前記検体対象物質と接触し結合することができるアナライト結合反応方法が得られる。
【００１４】
また他の手段は、基板を振動，共振させる方法として、前記基板の表裏面にばねを設けることとしたものである。
【００１５】
この手段により、手動のみで前記基板に振動，共振させることでサンプル溶液および標識溶液が液留め容器内から飛び出すことなく、前記サンプル溶液の上方にある検知対象物質および前記標識溶液の上方にある検知対象物質捕捉物質を底面に固相化されているレセプターおよび前記レセプターと結合している前記検体対象物質と接触し結合することができるアナライト結合反応方法が得られる。
【００１６】
また他の手段は、基板を振動，共振させる方法として、前記基板に磁性体を形成し前記磁性体と対に磁体設け、前記磁体のＮ，Ｓ極を交互に変更させることとしたものである。
【００１７】
この手段により、磁力特性で前記基板に振動，共振させることでサンプル溶液および標識溶液が液留め容器内から飛び出すことなく、前記サンプル溶液の上方にある検知対象物質および前記標識溶液の上方にある検知対象物質捕捉物質を底面に固相化されているレセプターおよび前記レセプターと結合している前記検体対象物質と接触し結合することができるアナライト結合反応方法が得られる。
【００１８】
また他の手段は、基板を振動，共振させる方法として、前記基板に＋あるいは−の電荷を帯電させた帯電部位を形成し、前記帯電部位と対になるように電極を設け、前記電極を＋，−を交互に変更させることとしたものである。
【００１９】
この手段により、電気特性で前記基板に振動，共振させることでサンプル溶液および標識溶液が液留め容器内から飛び出すことなく、前記サンプル溶液の上方にある検知対象物質および前記標識溶液の上方にある検知対象物質捕捉物質を底面に固相化されているレセプターおよび前記レセプターと結合している前記検体対象物質と接触し結合することができるアナライト結合反応方法が得られる。
【００２０】
また他の手段は、基板を振動，共振させる方法として、前記基板に温度により変形する変形部位を形成し、前記変形部位に接するようにペルチェ素子を設け、前記ペルチェ素子を冷・暖を交互に変更させることとしたものである。
【００２１】
この手段により、温度によって変形する材料特性で前記基板に振動，共振させることでサンプル溶液および標識溶液が液留め容器内から飛び出すことなく、前記サンプル溶液の上方にある検知対象物質および前記標識溶液の上方にある検知対象物質捕捉物質を底面に固相化されているレセプターおよび前記レセプターと結合している前記検体対象物質と接触し結合することができるアナライト結合反応方法が得られる。
【００２２】
また他の手段は、動作電極上に伸縮可能な膜を形成し、前記膜にレセプターが固定化され前記レセプターが前記動作電極上面に対して垂直に振動させることとしたものである。
【００２３】
この手段により、前記レセプターのみを振動させ、前記サンプル溶液の上方にある検知対象物質および前記標識溶液の上方にある検知対象物質捕捉物質を底面に固相化されているレセプターおよび前記レセプターと結合している前記検体対象物質と接触し結合することができるアナライト結合反応方法が得られる。
【００２４】
また他の手段は、レセプターを振動させる方法として、前記レセプターに磁性体を結合させておき、動作電極上面に対して垂直方向に磁体を設け、前記磁体のＮ，Ｓ極を交互に変更させることとしたものである。
【００２５】
この手段により、磁力特性で前記レセプターのみを振動させ、前記サンプル溶液の上方にある検知対象物質および前記標識溶液の上方にある検知対象物質捕捉物質を底面に固相化されているレセプターおよび前記レセプターと結合している前記検体対象物質と接触し結合することができるアナライト結合反応方法が得られる。
【００２６】
また他の手段は、レセプターを振動させる方法として、動作電極上面に対して垂直方向に電極を設け、前記電極を＋，−を交互に変更させることとしたものである。
【００２７】
この手段により、電気特性で前記レセプターのみを振動させ、前記サンプル溶液の上方にある検知対象物質および前記標識溶液の上方にある検知対象物質捕捉物質を底面に固相化されているレセプターおよび前記レセプターと結合している前記検体対象物質と接触し結合することができるアナライト結合反応方法が得られる。
【００２８】
また他の手段は、検知対象物質および検知対象物質捕捉物質をレセプターに近づけさせることとしたものである。
【００２９】
この手段により、前記検知対象物質および前記検知対象物質捕捉物質を移動させ、前記サンプル溶液の上方にある検知対象物質および前記標識溶液の上方にある検知対象物質捕捉物質を底面に固相化されているレセプターおよび前記レセプターと結合している前記検体対象物質と接触し結合することができるアナライト結合反応方法が得られる。
【００３０】
また他の手段は、検知対象物質および検知対象物質捕捉物質をレセプターに近づけさせる方法として、サンプル溶液および標識溶液を吸入・吐出させる分注器で前記レセプター付近から前記サンプル溶液および前記標識溶液を吐出させることとしたものである。
【００３１】
この手段により、手動のみで前記検知対象物質および前記検知対象物質捕捉物質を移動させ、前記サンプル溶液の上方にある検知対象物質および前記標識溶液の上方にある検知対象物質捕捉物質を底面に固相化されているレセプターおよび前記レセプターと結合している前記検体対象物質と接触し結合することができるアナライト結合反応方法が得られる。
【００３２】
また他の手段は、検知対象物質および検知対象物質捕捉物質をレセプターに近づけさせる方法として、サンプル溶液および標識溶液に磁性体を混合させ、動作電極上面に対して垂直方向に磁体を設け、前記磁体によって前記磁性体を反発させることとしたものである。
【００３３】
この手段により、磁力特性で前記検知対象物質および前記検知対象物質捕捉物質を移動させ、前記サンプル溶液の上方にある検知対象物質および前記標識溶液の上方にある検知対象物質捕捉物質を底面に固相化されているレセプターおよび前記レセプターと結合している前記検体対象物質と接触し結合することができるアナライト結合反応方法が得られる。
【００３４】
また他の手段は、検知対象物質および検知対象物質捕捉物質をレセプターに近づけさせる方法として、動作電極上面に対して垂直方向にペルチェ素子を設け、前記ペルチェ素子をサンプル溶液および標識溶液の液温以上に温めることとしたものである。
【００３５】
この手段により、温度特性で前記検知対象物質および前記検知対象物質捕捉物質を移動させ、前記サンプル溶液の上方にある検知対象物質および前記標識溶液の上方にある検知対象物質捕捉物質を底面に固相化されているレセプターおよび前記レセプターと結合している前記検体対象物質と接触し結合することができるアナライト結合反応方法が得られる。
【００３６】
また他の手段は、検知対象物質および検知対象物質捕捉物質をレセプターに近づけさせる方法として、動作電極上面に対して垂直方向に電極を設け、前記電極を＋あるいは−にすることとしたものである。
【００３７】
この手段により、電気特性で前記検知対象物質および前記検知対象物質捕捉物質を移動させ、前記サンプル溶液の上方にある検知対象物質および前記標識溶液の上方にある検知対象物質捕捉物質を底面に固相化されているレセプターおよび前記レセプターと結合している前記検体対象物質と接触し結合することができるアナライト結合反応方法が得られる。
【００３８】
また他の手段は、検知対象物質および検知対象物質捕捉物質をレセプターに近づけさせる方法として、動作電極上から泡を発生させることとしたものである。
【００３９】
この手段により、気体特性で前記検知対象物質および前記検知対象物質捕捉物質を移動させ、前記サンプル溶液の上方にある検知対象物質および前記標識溶液の上方にある検知対象物質捕捉物質を底面に固相化されているレセプターおよび前記レセプターと結合している前記検体対象物質と接触し結合することができるアナライト結合反応方法が得られる。
【００４０】
また他の手段は、検知対象物質および検知対象物質捕捉物質をレセプターに近づけさせる方法として、サンプル溶液および標識溶液が液留め容器内に滴下された後回転させることとしたものである。
【００４１】
この手段により、遠心力特性で前記検知対象物質および前記検知対象物質捕捉物質を移動させ、前記サンプル溶液の上方にある検知対象物質および前記標識溶液の上方にある検知対象物質捕捉物質を底面に固相化されているレセプターおよび前記レセプターと結合している前記検体対象物質と接触し結合することができるアナライト結合反応方法が得られる。
【００４２】
また他の手段は、検知対象物質および検知対象物質捕捉物質をレセプターに近づけさせる方法として、液留め容器内における動作電極以外の基板上に吸収剤を設けることとしたものである。
【００４３】
この手段により、吸収力特性で前記検知対象物質および前記検知対象物質捕捉物質を移動させ、前記サンプル溶液の上方にある検知対象物質および前記標識溶液の上方にある検知対象物質捕捉物質を底面に固相化されているレセプターおよび前記レセプターと結合している前記検体対象物質と接触し結合することができるアナライト結合反応方法が得られる。
【発明の効果】
【００４４】
本発明によればサンプル溶液の上方にある検知対象物質および標識溶液の上方にある検知対象物質捕捉物質を底面に固相化されているレセプターおよび前記レセプターと結合している検体対象物質と接触し結合することができる効果のあるアナライト結合反応方法を提供できる。
【発明を実施するための最良の形態】
【００４５】
本発明の請求項１記載の発明は、基板上に検知対象物質と特異的に結合するレセプターが固相化された動作電極および前記動作電極の周囲に液留め容器を形成し、前記検知対象物質が含まれているサンプル溶液を前記液留め容器内に滴下し前記検知対象物質と前記レセプターとが結合し、次に酵素を標識した前記検知対象物質と特異的に結合する検知対象物質捕捉物質が含まれている標識溶液を前記液留め容器内に滴下し前記レセプターと結合している前記検知対象物質と前記検知対象物質捕捉物質とが結合し、次に前記酵素と反応し酵素反応物質を生成させる基質を加え前記酵素反応物質が電気化学的に電気信号として前記検知対象物質を検知する方法において、前記サンプル溶液および前記標識溶液を前記動作電極上面に対して垂直に振動させることにより前記レセプターと前記検体対象物質および前記検知対象物質捕捉物質とを結合させることとしたものであり、前記サンプル溶液の上方にある前記検知対象物質および前記標識溶液の上方にある前記検知対象物質捕捉物質が垂直の振動により底面に固相化されている前記レセプターおよび前記レセプターと結合している前記検体対象物質へ移動し結果接触して結合することができるという作用を有する。
【００４６】
また本発明の請求項２記載の発明は、検知対象物質が含まれているサンプル溶液および酵素を標識した前記検知対象物質と特異的に結合する検知対象物質捕捉物質が含まれている標識溶液が動作電極上面に対して垂直に振動させている方法として、共振させることとしたものであり、前記サンプル溶液および前記標識溶液が液留め容器内から飛び出すことなく、前記サンプル溶液の上方にある前記検知対象物質および前記標識溶液の上方にある前記検知対象物質捕捉物質を底面に固相化されているレセプターおよび前記レセプターと結合している前記検体対象物質と接触し結合することができるという作用を有する。
【００４７】
また本発明の請求項３記載の発明は、検知対象物質が含まれているサンプル溶液および酵素を標識した前記検知対象物質と特異的に結合する検知対象物質捕捉物質が含まれている標識溶液が動作電極上面に対して垂直に振動，共振させる方法として、基板を振動，共振させることとしたものであり、前記基板に振動，共振させることで前記サンプル溶液および前記標識溶液が液留め容器内から飛び出すことなく、前記サンプル溶液の上方にある前記検知対象物質および前記標識溶液の上方にある前記検知対象物質捕捉物質を底面に固相化されているレセプターおよび前記レセプターと結合している前記検体対象物質と接触し結合することができるという作用を有する。
【００４８】
また本発明の請求項４記載の発明は、基板を振動，共振させる方法として、前記基板の表裏面にばねを設けることとしたものであり、手動のみで前記基板に振動，共振させることでサンプル溶液および標識溶液が液留め容器内から飛び出すことなく、前記サンプル溶液の上方にある検知対象物質および前記標識溶液の上方にある検知対象物質捕捉物質を底面に固相化されているレセプターおよび前記レセプターと結合している前記検体対象物質と接触し結合することができるという作用を有する。
【００４９】
また本発明の請求項５記載の発明は、基板を振動，共振させる方法として、前記基板に磁性体を形成し前記磁性体と対に磁体設け、前記磁体のＮ，Ｓ極を交互に変更させることとしたものであり、磁力特性で前記基板に振動，共振させることでサンプル溶液および標識溶液が液留め容器内から飛び出すことなく、前記サンプル溶液の上方にある検知対象物質および前記標識溶液の上方にある検知対象物質捕捉物質を底面に固相化されているレセプターおよび前記レセプターと結合している前記検体対象物質と接触し結合することができるという作用を有する。
【００５０】
また本発明の請求項６記載の発明は、基板を振動，共振させる方法として、前記基板に＋あるいは−の電荷を帯電させた帯電部位を形成し、前記帯電部位と対になるように電極を設け、前記電極を＋，−を交互に変更させることとしたものであり、電気特性で前記基板に振動，共振させることでサンプル溶液および標識溶液が液留め容器内から飛び出すことなく、前記サンプル溶液の上方にある検知対象物質および前記標識溶液の上方にある検知対象物質捕捉物質を底面に固相化されているレセプターおよび前記レセプターと結合している前記検体対象物質と接触し結合することができるという作用を有する。
【００５１】
また本発明の請求項７記載の発明は、基板を振動，共振させる方法として、前記基板に温度により変形する変形部位を形成し、前記変形部位に接するようにペルチェ素子を設け、前記ペルチェ素子を冷・暖を交互に変更させることとしたものであり、温度によって変形する材料特性で前記基板に振動，共振させることでサンプル溶液および標識溶液が液留め容器内から飛び出すことなく、前記サンプル溶液の上方にある検知対象物質および前記標識溶液の上方にある検知対象物質捕捉物質を底面に固相化されているレセプターおよび前記レセプターと結合している前記検体対象物質と接触し結合することができるという作用を有する。
【００５２】
また本発明の請求項８記載の発明は、動作電極上に伸縮可能な膜を形成し、前記膜にレセプターが固定化され前記レセプターが前記動作電極上面に対して垂直に振動させることとしたものであり、前記レセプターのみを振動させ、前記サンプル溶液の上方にある検知対象物質および前記標識溶液の上方にある検知対象物質捕捉物質を底面に固相化されているレセプターおよび前記レセプターと結合している前記検体対象物質と接触し結合することができるという作用を有する。
【００５３】
また本発明の請求項９記載の発明は、レセプターを振動させる方法として、前記レセプターに磁性体を結合させておき、動作電極上面に対して垂直方向に磁体を設け、前記磁体のＮ，Ｓ極を交互に変更させることとしたものであり、磁力特性で前記レセプターのみを振動させ、前記サンプル溶液の上方にある検知対象物質および前記標識溶液の上方にある検知対象物質捕捉物質を底面に固相化されているレセプターおよび前記レセプターと結合している前記検体対象物質と接触し結合することができるという作用を有する。
【００５４】
また本発明の請求項１０記載の発明は、レセプターを振動させる方法として、動作電極上面に対して垂直方向に電極を設け、前記電極を＋，−を交互に変更させることとしたものであり、電気特性で前記レセプターのみを振動させ、前記サンプル溶液の上方にある検知対象物質および前記標識溶液の上方にある検知対象物質捕捉物質を底面に固相化されているレセプターおよび前記レセプターと結合している前記検体対象物質と接触し結合することができるという作用を有する。
【００５５】
また本発明の請求項１１記載の発明は、検知対象物質および検知対象物質捕捉物質をレセプターに近づけさせることとしたものであり、前記検知対象物質および前記検知対象物質捕捉物質を移動させ、前記サンプル溶液の上方にある検知対象物質および前記標識溶液の上方にある検知対象物質捕捉物質を底面に固相化されているレセプターおよび前記レセプターと結合している前記検体対象物質と接触し結合することができるという作用を有する。
【００５６】
また本発明の請求項１２記載の発明は、検知対象物質および検知対象物質捕捉物質をレセプターに近づけさせる方法として、サンプル溶液および標識溶液を吸入・吐出させる分注器で前記レセプター付近から前記サンプル溶液および前記標識溶液を吐出させることとしたものであり、手動のみで前記検知対象物質および前記検知対象物質捕捉物質を移動させ、前記サンプル溶液の上方にある検知対象物質および前記標識溶液の上方にある検知対象物質捕捉物質を底面に固相化されているレセプターおよび前記レセプターと結合している前記検体対象物質と接触し結合することができるという作用を有する。
【００５７】
また本発明の請求項１３記載の発明は、検知対象物質および検知対象物質捕捉物質をレセプターに近づけさせる方法として、サンプル溶液および標識溶液に磁性体を混合させ、動作電極上面に対して垂直方向に磁体を設け、前記磁体によって前記磁性体を反発させることとしたものであり、磁力特性で前記検知対象物質および前記検知対象物質捕捉物質を移動させ、前記サンプル溶液の上方にある検知対象物質および前記標識溶液の上方にある検知対象物質捕捉物質を底面に固相化されているレセプターおよび前記レセプターと結合している前記検体対象物質と接触し結合することができるという作用を有する。
【００５８】
また本発明の請求項１４記載の発明は、検知対象物質および検知対象物質捕捉物質をレセプターに近づけさせる方法として、動作電極上面に対して垂直方向にペルチェ素子を設け、前記ペルチェ素子をサンプル溶液および標識溶液の液温以上に温めることとしたものであり、温度特性で前記検知対象物質および前記検知対象物質捕捉物質を移動させ、前記サンプル溶液の上方にある検知対象物質および前記標識溶液の上方にある検知対象物質捕捉物質を底面に固相化されているレセプターおよび前記レセプターと結合している前記検体対象物質と接触し結合することができるという作用を有する。
【００５９】
また本発明の請求項１５記載の発明は、検知対象物質および検知対象物質捕捉物質をレセプターに近づけさせる方法として、動作電極上面に対して垂直方向に電極を設け、前記電極を＋あるいは−にすることとしたものであり、電気特性で前記検知対象物質および前記検知対象物質捕捉物質を移動させ、前記サンプル溶液の上方にある検知対象物質および前記標識溶液の上方にある検知対象物質捕捉物質を底面に固相化されているレセプターおよび前記レセプターと結合している前記検体対象物質と接触し結合することができるという作用を有する。
【００６０】
また本発明の請求項１６記載の発明は、検知対象物質および検知対象物質捕捉物質をレセプターに近づけさせる方法として、動作電極上から泡を発生させることとしたものであり、気体特性で前記検知対象物質および前記検知対象物質捕捉物質を移動させ、前記サンプル溶液の上方にある検知対象物質および前記標識溶液の上方にある検知対象物質捕捉物質を底面に固相化されているレセプターおよび前記レセプターと結合している前記検体対象物質と接触し結合することができるという作用を有する。
【００６１】
また本発明の請求項１７記載の発明は、検知対象物質および検知対象物質捕捉物質をレセプターに近づけさせる方法として、サンプル溶液および標識溶液が液留め容器内に滴下された後回転させることとしたものであり、遠心力特性で前記検知対象物質および前記検知対象物質捕捉物質を移動させ、前記サンプル溶液の上方にある検知対象物質および前記標識溶液の上方にある検知対象物質捕捉物質を底面に固相化されているレセプターおよび前記レセプターと結合している前記検体対象物質と接触し結合することができるという作用を有する。
【００６２】
また本発明の請求項１８記載の発明は、検知対象物質および検知対象物質捕捉物質をレセプターに近づけさせる方法として、液留め容器内における動作電極以外の基板上に吸収剤を設けることとしたものであり、吸収力特性で前記検知対象物質および前記検知対象物質捕捉物質を移動させ、前記サンプル溶液の上方にある検知対象物質および前記標識溶液の上方にある検知対象物質捕捉物質を底面に固相化されているレセプターおよび前記レセプターと結合している前記検体対象物質と接触し結合することができるという作用を有する。
【００６３】
以下、本発明の実施の形態について図面を参照しながら説明する。
【００６４】
（実施の形態１）
図１，２，３および図４に示すように、基板１上に検知対象物質２と特異的に結合するレセプター３が固相化された動作電極４および前記動作電極４の周囲に液留め容器５が形成されている。前記動作電極４の大きさは、０．００２〜４０ｍｍ２の範囲である。前記検知対象物質２が含まれているサンプル溶液６を前記液留め容器５内に滴下し、前記サンプル溶液６を前記動作電極４上面に対して垂直に振動させ、前記検知対象物質２と前記レセプター３とを反応させ結合させる。次に前記レセプター３と結合していない余分な前記検知対象物質２を取り除くために洗浄する。次に酵素７を標識した前記検知対象物質２と特異的に結合する検知対象物質捕捉物質８が含まれている標識溶液９を前記液留め容器５内に滴下し、前記標識溶液９を前記動作電極４上面に対して垂直に振動させ、前記レセプター３と結合している前記検知対象物質２と前記検知対象物質捕捉物質８とを反応させ結合させる。次に前記検知対象物質２と結合していない余分な前記検知対象物質捕捉物質８を取り除くために洗浄する。次に前記酵素７と反応し酵素反応物質１０を生成させる基質１１を加え前記酵素反応物質１０が電気化学的に電気信号として前記検知対象物質２を検知する。ここで酵素反応の検知方法は、前記動作電極４にポテンショスタット１２を接続し、さらに、前記液溜め容器５内の前記基質１１溶液に銀塩化銀参照極１３を設置する。これによって、前記酵素７による基質１１の酸化還元反応を電気化学的に測定し、検知するように構成されている。
【００６５】
上記構成によって、前記サンプル溶液６の上方にある前記検知対象物質２および前記標識溶液９の上方にある前記検知対象物質捕捉物質８が垂直の振動により底面の前記動作電極４に固相化されている前記レセプター３および前記レセプター３と結合している前記検体対象物質２へ移動し結果接触して結合することができる。
【００６６】
以下に一例をあげて説明する。検知対象物質２としてある感染症のマーカとされているたんぱく質を用いる。また、振動方法として上下に振動させる加振機１４を用いて、前記基板１を振動させる。図４に結果を示しているが、反応時間６０ｍｉｎ．で比較すると、従来の横揺れ方式の振動に比べ上下の振動は２倍弱の検知感度向上化することができる。これにより、検知下限の向上化，反応時間の短縮化等図ることができる。
【００６７】
なお、前記基板１に用いる材料は、ガラス、合成樹脂など絶縁性のある材料であり、任意の厚さで形成され、前記動作電極４材料を安定的に固定化でき、前記サンプル溶液６，前記標識溶液９および前記基質１１等試薬溶液の影響を受けない材料ならなんでもよい。
【００６８】
また、前記レセプター３および前記検知対象物質捕捉物質８の材料は特に記載しなかったが、抗体、ＤＮＡ・ＲＮＡプローブ、ペプチド、など生体材料ならなんでもよい。
【００６９】
また、前記動作電極４に用いる材料は、金や白金などの貴金属、カーボン、セラミックスなどの導電性の材料であり、目的の反応のみを高感度に検出し、他の反応の影響を受けにくい材料ならなんでもよい。
【００７０】
また、前記液留め容器５について材質は特に記載しなかったが、ＰＰ（ポリプロピレン）等前記サンプル溶液６，前記標識溶液９および前記基質１１に耐性をもっているものならなんでもよい。
【００７１】
また、前記酵素７の種類については特に記載しなかったが、ＥＬＩＳＡ法で一般的に使用されているＨＲＰ（西洋ワサビペルオキシターゼ），ＰＯ（ペルオキシターゼ）等、前記酵素反応物質１０を生成できるものならなんでもよい。
【００７２】
また、前記基質１１の種類については特に記載しなかったが、フェロセン，ＯＰＤ（ｏ−フェニレンジアミン）等酸化還元作用のあるものならなんでもよい。
【００７３】
また、前記検知対象物質捕捉物質８を介している構成としたが、前記検知対象物質８に前記酵素７を標識してこれと前記サンプル溶液６とを混合させ、前記レセプター３と競合反応し結合させる方法をとってもよい。
【００７４】
また、前記レセプター３と前記動作電極４との固相化方法について特に記載しなかったが、疎水結合，Ｓ−Ｓ結合等前記レセプター３を前記動作電極４上に固相化できれる方法ならなんでもよい。
【００７５】
また、検知方法として電気化学的に検知すると記載しているが、前記酵素反応物質１０を発色あるいは蛍光等にして検知してもよい。
【００７６】
（実施の形態２）
図５および図６に示すように、実施の形態２は実施の形態１とほぼ同等の構成を有し、実施の形態１と同一部分については同一番号を付し詳細な説明は省略する。検知対象物質２が含まれているサンプル溶液６および酵素７を標識した前記検知対象物質２と特異的に結合する検知対象物質捕捉物質８が含まれている標識溶液９が動作電極４上面に対して垂直に振動させている方法として、共振させるように構成されている。
【００７７】
上記構成において、前記サンプル溶液６および前記標識溶液９が液留め容器５内から飛び出すことなく、前記サンプル溶液６の上方にある前記検知対象物質２および前記標識溶液９の上方にある前記検知対象物質捕捉物質８を底面の前記動作電極４に固相化されているレセプター３および前記レセプター３と結合している前記検体対象物質２と接触し結合することができる。
【００７８】
以下に一例をあげて説明する。検知対象物質としてある感染症のマーカとされているたんぱく質を用いる。また、振動方法として上下に振動させる加振機を用いて、前記基板１を振動させる。図６に結果を示しているが、１ｋＨｚが一番よくその前後の４００Ｈｚおよび４ｋＨｚは約半分の感度となっている。これは、４００Ｈｚだと前記サンプル溶液６の上方にある前記検知対象物質２および前記標識溶液９の上方にある前記検知対象物質捕捉物質８を底面の前記動作電極４に固相化されているレセプター３および前記レセプター３と結合している前記検体対象物質２と接触する機会が少なく結合できないので、結果感度の低下となる。また、４ｋＨｚだと上下の振動がこまかくなり、前記サンプル溶液６および前記標識溶液９の振れがなくなり、前記サンプル溶液６の上方にある前記検知対象物質２および前記標識溶液９の上方にある前記検知対象物質捕捉物質８を底面の前記動作電極４に固相化されているレセプター３および前記レセプター３と結合している前記検体対象物質２と接触する機会がなく結合できないので、結果感度の低下となる。よって、ちょうど前記サンプル溶液６および前記標識溶液９が前記液留め容器５から飛び出さず最大限上下に振動させるところ、すなわち、共振させることが一番感度を向上化することができる。これにより、検知下限の向上化，反応時間の短縮化等図ることができる。
【００７９】
なお、前記レセプター３および前記検知対象物質捕捉物質８の材料は特に記載しなかったが、抗体、ＤＮＡ・ＲＮＡプローブ、ペプチド、など生体材料ならなんでもよい。
【００８０】
また、前記動作電極４に用いる材料は、金や白金などの貴金属、カーボン、セラミックスなどの導電性の材料であり、目的の反応のみを高感度に検出し、他の反応の影響を受けにくい材料ならなんでもよい。
【００８１】
また、前記液留め容器５について材質は特に記載しなかったが、ＰＰ（ポリプロピレン）等前記サンプル溶液６，前記標識溶液９および基質に耐性をもっているものならなんでもよい。
【００８２】
また、前記酵素７の種類については特に記載しなかったが、ＥＬＩＳＡ法で一般的に使用されているＨＲＰ（西洋ワサビペルオキシターゼ），ＰＯ（ペルオキシターゼ）等、前記酵素反応物質１０を生成できるものならなんでもよい。
【００８３】
また、前記検知対象物質捕捉物質８を介している構成としたが、前記検知対象物質８に前記酵素７を標識してこれと前記サンプル溶液６とを混合させ、前記レセプター３と競合反応し結合させる方法をとってもよい。
【００８４】
また、前記レセプター３と前記動作電極４との固相化方法について特に記載しなかったが、疎水結合，Ｓ−Ｓ結合等前記レセプター３を前記動作電極４上に固相化できれる方法ならなんでもよい。
【００８５】
（実施の形態３）
図７に示すように、実施の形態３は実施の形態１または２とほぼ同等の構成を有し、実施の形態１または２と同一部分については同一番号を付し詳細な説明は省略する。検知対象物質２が含まれているサンプル溶液６および酵素７を標識した前記検知対象物質２と特異的に結合する検知対象物質捕捉物質８が含まれている標識溶液９が動作電極４上面に対して垂直に振動，共振させる方法として、基板１を振動，共振させる。前記基板１を振動，共振させる構成に関しては、実施の形態４，５，６および７で詳細を説明するが、ここでは前記基板１を振動，共振させるように構成されている。
【００８６】
上記構成において、前記基板１に振動，共振させることで前記サンプル溶液６および前記標識溶液９が液留め容器５内から飛び出すことなく、前記サンプル溶液６の上方にある前記検知対象物質２および前記標識溶液９の上方にある前記検知対象物質捕捉物質８を底面の前記動作電極４に固相化されているレセプター３および前記レセプター３と結合している前記検体対象物質２と接触し結合することができる。
【００８７】
なお、前記基板１に用いる材料は、ガラス、合成樹脂など絶縁性のある材料であり、任意の厚さで形成され、前記動作電極４材料を安定的に固定化でき、前記サンプル溶液６，前記標識溶液９および前記基質１１等試薬溶液の影響を受けない材料ならなんでもよい。  
【００８８】
また、前記レセプター３および前記検知対象物質捕捉物質８の材料は特に記載しなかったが、抗体、ＤＮＡ・ＲＮＡプローブ、ペプチド、など生体材料ならなんでもよい。
【００８９】
また、前記動作電極４に用いる材料は、金や白金などの貴金属、カーボン、セラミックスなどの導電性の材料であり、目的の反応のみを高感度に検出し、他の反応の影響を受けにくい材料ならなんでもよい。
【００９０】
また、前記液留め容器５について材質は特に記載しなかったが、ＰＰ（ポリプロピレン）等前記サンプル溶液６，前記標識溶液９および基質に耐性をもっているものならなんでもよい。
【００９１】
また、前記酵素７の種類については特に記載しなかったが、ＥＬＩＳＡ法で一般的に使用されているＨＲＰ（西洋ワサビペルオキシターゼ），ＰＯ（ペルオキシターゼ）等、前記酵素反応物質１０を生成できるものならなんでもよい。
【００９２】
また、前記検知対象物質捕捉物質８を介している構成としたが、前記検知対象物質８に前記酵素７を標識してこれと前記サンプル溶液６とを混合させ、前記レセプター３と競合反応し結合させる方法をとってもよい。
【００９３】
また、前記レセプター３と前記動作電極４との固相化方法について特に記載しなかったが、疎水結合，Ｓ−Ｓ結合等前記レセプター３を前記動作電極４上に固相化できれる方法ならなんでもよい。
【００９４】
（実施の形態４）
図８に示すように、実施の形態４は実施の形態３とほぼ同等の構成を有し、実施の形態３と同一部分については同一番号を付し詳細な説明は省略する。基板１を振動，共振させる方法として、前記基板１の表裏面にばね１５を設けるように構成されている。
【００９５】
上記構成において、前記ばね１５を押すことで前記ばね１５の伸縮により前記基板１が振動，共振するので、結果手動のみで前記基板１に振動，共振させることで前記サンプル溶液６および前記標識溶液９が液留め容器５内から飛び出すことなく、前記サンプル溶液６の上方にある前記検知対象物質２および前記標識溶液９の上方にある前記検知対象物質捕捉物質８を底面の前記動作電極４に固相化されているレセプター３および前記レセプター３と結合している前記検体対象物質２と接触し結合することができる。
【００９６】
なお、前記基板１に用いる材料は、ガラス、合成樹脂など絶縁性のある材料であり、任意の厚さで形成され、前記動作電極４材料を安定的に固定化でき、前記サンプル溶液６，前記標識溶液９および前記基質１１等試薬溶液の影響を受けない材料ならなんでもよい。
【００９７】
また、前記レセプター３および前記検知対象物質捕捉物質８の材料は特に記載しなかったが、抗体、ＤＮＡ・ＲＮＡプローブ、ペプチド、など生体材料ならなんでもよい。
【００９８】
また、前記動作電極４に用いる材料は、金や白金などの貴金属、カーボン、セラミックスなどの導電性の材料であり、目的の反応のみを高感度に検出し、他の反応の影響を受けにくい材料ならなんでもよい。
【００９９】
また、前記液留め容器５について材質は特に記載しなかったが、ＰＰ（ポリプロピレン）等前記サンプル溶液６，前記標識溶液９および基質に耐性をもっているものならなんでもよい。
【０１００】
また、前記検知対象物質捕捉物質８を介している構成としたが、前記検知対象物質８に前記酵素７を標識してこれと前記サンプル溶液６とを混合させ、前記レセプター３と競合反応し結合させる方法をとってもよい。
【０１０１】
また、前記レセプター３と前記動作電極４との固相化方法について特に記載しなかったが、疎水結合，Ｓ−Ｓ結合等前記レセプター３を前記動作電極４上に固相化できれる方法ならなんでもよい。
【０１０２】
また、前記基板１の表裏面にばね１５を設けるように構成されていると記載したが、表裏どちらか一方でもよいし、伸縮できるものならばねに限定なくなんでもよい。
【０１０３】
（実施の形態５）
図９に示すように、実施の形態５は実施の形態３とほぼ同等の構成を有し、実施の形態３と同一部分については同一番号を付し詳細な説明は省略する。基板１を振動，共振させる方法として、前記基板１に磁性体１６を形成し前記磁性体１６と対に磁体１７設け、前記磁体１７のＮ，Ｓ極を交互に変更させるように構成されている。
【０１０４】
上記構成において、前記磁体１７をＮ，Ｓ極を交互に変更させることで前記磁体１７と前記磁性体１６との間に引力，反発力が働き前記基板１に振動，共振させることで前記サンプル溶液６および前記標識溶液９が液留め容器５内から飛び出すことなく、前記サンプル溶液６の上方にある前記検知対象物質２および前記標識溶液９の上方にある前記検知対象物質捕捉物質８を底面の前記動作電極４に固相化されているレセプター３および前記レセプター３と結合している前記検体対象物質２と接触し結合することができる。
【０１０５】
なお、前記基板１に用いる材料は、ガラス、合成樹脂など絶縁性のある材料であり、任意の厚さで形成され、前記動作電極４材料を安定的に固定化でき、前記サンプル溶液６，前記標識溶液９および前記基質１１等試薬溶液の影響を受けない材料ならなんでもよい。  
【０１０６】
また、前記レセプター３および前記検知対象物質捕捉物質８の材料は特に記載しなかったが、抗体、ＤＮＡ・ＲＮＡプローブ、ペプチド、など生体材料ならなんでもよい。
【０１０７】
また、前記動作電極４に用いる材料は、金や白金などの貴金属、カーボン、セラミックスなどの導電性の材料であり、目的の反応のみを高感度に検出し、他の反応の影響を受けにくい材料ならなんでもよい。
【０１０８】
また、前記液留め容器５について材質は特に記載しなかったが、ＰＰ（ポリプロピレン）等前記サンプル溶液６，前記標識溶液９および基質に耐性をもっているものならなんでもよい。
【０１０９】
また、前記検知対象物質捕捉物質８を介している構成としたが、前記検知対象物質８に前記酵素７を標識してこれと前記サンプル溶液６とを混合させ、前記レセプター３と競合反応し結合させる方法をとってもよい。
【０１１０】
また、前記レセプター３と前記動作電極４との固相化方法について特に記載しなかったが、疎水結合，Ｓ−Ｓ結合等前記レセプター３を前記動作電極４上に固相化できれる方法ならなんでもよい。
【０１１１】
また、前記基板１に磁性体１６を形成し前記磁性体１６と対に磁体１７設け、前記磁体１７のＮ，Ｓ極を交互に変更させるように構成されていると記載したが、逆に前記基板１に前記磁体１７を形成し、結果１対の磁体によって構成されてもよい。
【０１１２】
（実施の形態６）
図１０に示すように、実施の形態６は実施の形態３とほぼ同等の構成を有し、実施の形態３と同一部分については同一番号を付し詳細な説明は省略する。基板１を振動，共振させる方法として、前記基板１に＋あるいは−の電荷を帯電させた帯電部位１８を形成し、前記帯電部位１８と対になるように電極１９を設け、前記電極１９を＋，−を交互に変更させるように構成されている。
【０１１３】
上記構成において、前記電極１９を＋，−を交互に変更させることで前記電極１９と前記帯電部位１８との間で引力，反発力が働き前記基板１に振動，共振させることで前記サンプル溶液６および前記標識溶液９が液留め容器５内から飛び出すことなく、前記サンプル溶液６の上方にある前記検知対象物質２および前記標識溶液９の上方にある前記検知対象物質捕捉物質８を底面の前記動作電極４に固相化されているレセプター３および前記レセプター３と結合している前記検体対象物質２と接触し結合することができる。
【０１１４】
なお、前記基板１に用いる材料は、ガラス、合成樹脂など絶縁性のある材料であり、任意の厚さで形成され、前記動作電極４材料を安定的に固定化でき、前記サンプル溶液６，前記標識溶液９および前記基質１１等試薬溶液の影響を受けない材料ならなんでもよい。
【０１１５】
また、前記レセプター３および前記検知対象物質捕捉物質８の材料は特に記載しなかったが、抗体、ＤＮＡ・ＲＮＡプローブ、ペプチド、など生体材料ならなんでもよい。
【０１１６】
また、前記動作電極４に用いる材料は、金や白金などの貴金属、カーボン、セラミックスなどの導電性の材料であり、目的の反応のみを高感度に検出し、他の反応の影響を受けにくい材料ならなんでもよい。
【０１１７】
また、前記液留め容器５について材質は特に記載しなかったが、ＰＰ（ポリプロピレン）等前記サンプル溶液６，前記標識溶液９および基質に耐性をもっているものならなんでもよい。
【０１１８】
また、前記検知対象物質捕捉物質８を介している構成としたが、前記検知対象物質８に前記酵素７を標識してこれと前記サンプル溶液６とを混合させ、前記レセプター３と競合反応し結合させる方法をとってもよい。
【０１１９】
また、前記レセプター３と前記動作電極４との固相化方法について特に記載しなかったが、疎水結合，Ｓ−Ｓ結合等前記レセプター３を前記動作電極４上に固相化できれる方法ならなんでもよい。
【０１２０】
また、前記基板１に＋あるいは−の電荷を帯電させた前記帯電部位１８を形成し、前記帯電部位１８と対になるように電極１９を設け、前記電極１９を＋，−を交互に変更させるように構成されていると記載したが、逆に前記基板１に前記電極１９を形成し、前記電極１９と対になるように前記帯電部位１８を設けてもよい。
【０１２１】
（実施の形態７）
図１１に示すように、実施の形態７は実施の形態３とほぼ同等の構成を有し、実施の形態３と同一部分については同一番号を付し詳細な説明は省略する。基板１を振動，共振させる方法として、前記基板１に温度により変形する変形部位２０を形成し、前記変形部位２０に接するようにペルチェ素子２１を設け、前記ペルチェ素子２１を冷・暖を交互に変更させるように構成されている。
【０１２２】
上記構成において、前記ペルチェ素子２１を冷・暖を交互に変更させることで前記変形部位２０が反ったり，戻ったりする変形力が働き前記基板１に振動，共振させることで前記サンプル溶液６および前記標識溶液９が液留め容器５内から飛び出すことなく、前記サンプル溶液６の上方にある前記検知対象物質２および前記標識溶液９の上方にある前記検知対象物質捕捉物質８を底面の前記動作電極４に固相化されているレセプター３および前記レセプター３と結合している前記検体対象物質２と接触し結合することができる。
【０１２３】
なお、前記基板１に用いる材料は、ガラス、合成樹脂など絶縁性のある材料であり、任意の厚さで形成され、前記動作電極４材料を安定的に固定化でき、前記サンプル溶液６，前記標識溶液９および前記基質１１等試薬溶液の影響を受けない材料ならなんでもよい。
【０１２４】
また、前記レセプター３および前記検知対象物質捕捉物質８の材料は特に記載しなかったが、抗体、ＤＮＡ・ＲＮＡプローブ、ペプチド、など生体材料ならなんでもよい。
【０１２５】
また、前記動作電極４に用いる材料は、金や白金などの貴金属、カーボン、セラミックスなどの導電性の材料であり、目的の反応のみを高感度に検出し、他の反応の影響を受けにくい材料ならなんでもよい。
【０１２６】
また、前記液留め容器５について材質は特に記載しなかったが、ＰＰ（ポリプロピレン）等前記サンプル溶液６，前記標識溶液９および基質に耐性をもっているものならなんでもよい。
【０１２７】
また、前記検知対象物質捕捉物質８を介している構成としたが、前記検知対象物質８に前記酵素７を標識してこれと前記サンプル溶液６とを混合させ、前記レセプター３と競合反応し結合させる方法をとってもよい。
【０１２８】
また、前記レセプター３と前記動作電極４との固相化方法について特に記載しなかったが、疎水結合，Ｓ−Ｓ結合等前記レセプター３を前記動作電極４上に固相化できれる方法ならなんでもよい。
【０１２９】
また、冷・暖する装置として前記ペルチェ素子２１を記載したが、ヒータ、赤外線等加熱のみできるものでもよい。
【０１３０】
また、前記ペルチェ素子２１で冷・暖すると記載したが、冷・暖どちらか一方のみでもよい。
【０１３１】
（実施の形態８）
図１２に示すように、実施の形態８は実施の形態１とほぼ同等の構成を有し、実施の形態１と同一部分については同一番号を付し詳細な説明は省略する。動作電極４上に伸縮可能な膜２２を形成し、前記膜２２にレセプター３が固定化され前記レセプター３が前記動作電極４上面に対して垂直に振動させる。前記膜２２に前記レセプター３が固定化され前記レセプター３が前記動作電極４上面に対して垂直に振動させる構成に関しては、実施の形態９および１０で詳細に説明するが、ここでは前記レセプター３が前記動作電極４上面に対して垂直に振動させるように構成されている。
【０１３２】
上記構成において、前記レセプター３のみを振動させ、前記サンプル溶液６の上方にある検知対象物質２および前記標識溶液９の上方にある検知対象物質捕捉物質８を底面の前記動作電極４に固相化されているレセプター３および前記レセプター３と結合している前記検体対象物質２と接触し結合することができる。
【０１３３】
なお、前記レセプター３および前記検知対象物質捕捉物質８の材料は特に記載しなかったが、抗体、ＤＮＡ・ＲＮＡプローブ、ペプチド、など生体材料ならなんでもよい。
【０１３４】
また、前記動作電極４に用いる材料は、金や白金などの貴金属、カーボン、セラミックスなどの導電性の材料であり、目的の反応のみを高感度に検出し、他の反応の影響を受けにくい材料ならなんでもよい。
【０１３５】
また、前記検知対象物質捕捉物質８を介している構成としたが、前記検知対象物質８に酵素を標識してこれと前記サンプル溶液６とを混合させ、前記レセプター３と競合反応し結合させる方法をとってもよい。
【０１３６】
また、前記レセプター３と前記動作電極４との固相化方法について特に記載しなかったが、疎水結合，Ｓ−Ｓ結合等前記レセプター３を前記動作電極４上に固相化できれる方法ならなんでもよい。
【０１３７】
（実施の形態９）
図１３に示すように、実施の形態９は実施の形態８とほぼ同等の構成を有し、実施の形態８と同一部分については同一番号を付し詳細な説明は省略する。レセプター３を振動させる方法として、前記レセプター３に磁性体２３を結合させておき、動作電極４上面に対して垂直方向に磁体２４を設け、前記磁体２４のＮ，Ｓ極を交互に変更させるように構成されている。
【０１３８】
上記構成において、前記磁体２４をＮ，Ｓ極を交互に変更させることで前記磁体２４と前記磁性体２３との間に引力，反発力が働き前記レセプター３のみに振動させ、前記サンプル溶液６の上方にある前記検知対象物質２および前記標識溶液９の上方にある前記検知対象物質捕捉物質８を底面の前記動作電極４に固相化されているレセプター３および前記レセプター３と結合している前記検体対象物質２と接触し結合することができる。
【０１３９】
なお、前記レセプター３および前記検知対象物質捕捉物質８の材料は特に記載しなかったが、抗体、ＤＮＡ・ＲＮＡプローブ、ペプチド、など生体材料ならなんでもよい。
【０１４０】
また、前記動作電極４に用いる材料は、金や白金などの貴金属、カーボン、セラミックスなどの導電性の材料であり、目的の反応のみを高感度に検出し、他の反応の影響を受けにくい材料ならなんでもよい。
【０１４１】
また、前記検知対象物質捕捉物質８を介している構成としたが、前記検知対象物質８に酵素を標識してこれと前記サンプル溶液６とを混合させ、前記レセプター３と競合反応し結合させる方法をとってもよい。
【０１４２】
また、前記レセプター３と前記動作電極４との固相化方法について特に記載しなかったが、疎水結合，Ｓ−Ｓ結合等前記レセプター３を前記動作電極４上に固相化できれる方法ならなんでもよい。
【０１４３】
また、前記レセプター３に前記磁性体２３を結合させると記載したが、前記膜２２に前記磁性体２３を結合させても同様な効果を得る。
【０１４４】
（実施の形態１０）
図１４に示すように、実施の形態１０は実施の形態８とほぼ同等の構成を有し、実施の形態８と同一部分については同一番号を付し詳細な説明は省略する。レセプター３を振動させる方法として、動作電極４上面に対して垂直方向に電極２５を設け、前記電極２５を＋，−を交互に変更させるように構成されている。
【０１４５】
上記構成において、前記電極２５を＋，−を交互に変更させることで前記レセプター３との間に引力，反発力が働き前記レセプター３のみに振動させ、前記サンプル溶液６の上方にある前記検知対象物質２および前記標識溶液９の上方にある前記検知対象物質捕捉物質８を底面の前記動作電極４に固相化されているレセプター３および前記レセプター３と結合している前記検体対象物質２と接触し結合することができる。
【０１４６】
なお、前記レセプター３および前記検知対象物質捕捉物質８の材料は特に記載しなかったが、抗体、ＤＮＡ・ＲＮＡプローブ、ペプチド、など生体材料ならなんでもよい。
【０１４７】
また、前記動作電極４に用いる材料は、金や白金などの貴金属、カーボン、セラミックスなどの導電性の材料であり、目的の反応のみを高感度に検出し、他の反応の影響を受けにくい材料ならなんでもよい。
【０１４８】
また、前記検知対象物質捕捉物質８を介している構成としたが、前記検知対象物質８に酵素を標識してこれと前記サンプル溶液６とを混合させ、前記レセプター３と競合反応し結合させる方法をとってもよい。
【０１４９】
また、前記レセプター３と前記動作電極４との固相化方法について特に記載しなかったが、疎水結合，Ｓ−Ｓ結合等前記レセプター３を前記動作電極４上に固相化できれる方法ならなんでもよい。
【０１５０】
（実施の形態１１）
図１５に示すように、実施の形態１１は実施の形態１とほぼ同等の構成を有し、実施の形態１と同一部分については同一番号を付し詳細な説明は省略する。検知対象物質２および検知対象物質捕捉物質８をレセプター３に近づけさせる。前記検知対象物質２および前記検知対象物質捕捉物質８をレセプター３に近づけさせる構成に関しては、実施の形態１２，１３，１４，１５，１６，１７および１８で詳細を説明するが、ここでは前記検知対象物質２および前記検知対象物質捕捉物質８をレセプター３に近づけさせるように構成されている。
【０１５１】
上記構成において、記検知対象物質２および前記検体対象物質捕捉物質８を移動させ、前記サンプル溶液６の上方にある検知対象物質２および前記標識溶液９の上方にある検知対象物質捕捉物質８を底面の動作電極４に固相化されているレセプター３および前記レセプター３と結合している前記検体対象物質２と接触し結合することができる。
【０１５２】
なお、前記レセプター３および前記検知対象物質捕捉物質８の材料は特に記載しなかったが、抗体、ＤＮＡ・ＲＮＡプローブ、ペプチド、など生体材料ならなんでもよい。
【０１５３】
また、前記動作電極４に用いる材料は、金や白金などの貴金属、カーボン、セラミックスなどの導電性の材料であり、目的の反応のみを高感度に検出し、他の反応の影響を受けにくい材料ならなんでもよい。
【０１５４】
また、前記検知対象物質捕捉物質８を介している構成としたが、前記検知対象物質８に酵素を標識してこれと前記サンプル溶液６とを混合させ、前記レセプター３と競合反応し結合させる方法をとってもよい。
【０１５５】
また、前記レセプター３と前記動作電極４との固相化方法について特に記載しなかったが、疎水結合，Ｓ−Ｓ結合等前記レセプター３を前記動作電極４上に固相化できれる方法ならなんでもよい。
【０１５６】
（実施の形態１２）
図１６に示すように、実施の形態１２は実施の形態１１とほぼ同等の構成を有し、実施の形態１１と同一部分については同一番号を付し詳細な説明は省略する。検知対象物質２および検知対象物質捕捉物質８をレセプター３に近づけさせる方法として、サンプル溶液６および標識溶液９を吸入・吐出させる分注器２６で前記レセプター３付近から前記サンプル溶液６および前記標識溶液９を吐出させることとしたものである。
【０１５７】
上記構成において、前記分注器２６が前記レセプター３付近から前記サンプル溶液６および前記標識溶液９を吐出されるので、結果手動のみで前記検知対象物質２および前記検知対象物質捕捉物質８を移動させ、前記サンプル溶液６の上方にある検知対象物質２および前記標識溶液９の上方にある検知対象物質捕捉物質８を底面の動作電極４に固相化されているレセプター３および前記レセプター３と結合している前記検体対象物質２と接触し結合することができる。
【０１５８】
なお、前記レセプター３および前記検知対象物質捕捉物質８の材料は特に記載しなかったが、抗体、ＤＮＡ・ＲＮＡプローブ、ペプチド、など生体材料ならなんでもよい。
【０１５９】
また、前記動作電極４に用いる材料は、金や白金などの貴金属、カーボン、セラミックスなどの導電性の材料であり、目的の反応のみを高感度に検出し、他の反応の影響を受けにくい材料ならなんでもよい。
【０１６０】
また、前記検知対象物質捕捉物質８を介している構成としたが、前記検知対象物質８に酵素を標識してこれと前記サンプル溶液６とを混合させ、前記レセプター３と競合反応し結合させる方法をとってもよい。
【０１６１】
また、前記レセプター３と前記動作電極４との固相化方法について特に記載しなかったが、疎水結合，Ｓ−Ｓ結合等前記レセプター３を前記動作電極４上に固相化できれる方法ならなんでもよい。
【０１６２】
また、前記サンプル溶液６および前記標識溶液９を吸入・吐出させる前記分注器２６で前記レセプター３付近から前記サンプル溶液６および前記標識溶液９を吐出させると記載したが、前記サンプル溶液６および前記標識溶液９を再度吸入・吐出してもよく、回数も何回でもよい。
【０１６３】
（実施の形態１３）
図１７に示すように、実施の形態１３は実施の形態１１とほぼ同等の構成を有し、実施の形態１１と同一部分については同一番号を付し詳細な説明は省略する。検知対象物質２および検知対象物質捕捉物質８をレセプター３に近づけさせる方法として、サンプル溶液６および標識溶液９に磁性体２７を混合させ、動作電極４上面に対して垂直方向に磁体２８を設け、前記磁体２８によって前記磁性体２７を反発させるように構成されている。
【０１６４】
上記構成において、前記磁体２８と前記磁性体２７との間に反発力が働き前記検知対象物質２および前記検知対象物質捕捉物質８を移動させ、前記サンプル溶液６の上方にある検知対象物質２および前記標識溶液９の上方にある検知対象物質捕捉物質８を底面の動作電極４に固相化されているレセプター３および前記レセプター３と結合している前記検体対象物質２と接触し結合することができる。
【０１６５】
なお、前記レセプター３および前記検知対象物質捕捉物質８の材料は特に記載しなかったが、抗体、ＤＮＡ・ＲＮＡプローブ、ペプチド、など生体材料ならなんでもよい。
【０１６６】
また、前記動作電極４に用いる材料は、金や白金などの貴金属、カーボン、セラミックスなどの導電性の材料であり、目的の反応のみを高感度に検出し、他の反応の影響を受けにくい材料ならなんでもよい。
【０１６７】
また、前記検知対象物質捕捉物質８を介している構成としたが、前記検知対象物質８に酵素を標識してこれと前記サンプル溶液６とを混合させ、前記レセプター３と競合反応し結合させる方法をとってもよい。
【０１６８】
また、前記レセプター３と前記動作電極４との固相化方法について特に記載しなかったが、疎水結合，Ｓ−Ｓ結合等前記レセプター３を前記動作電極４上に固相化できれる方法ならなんでもよい。
【０１６９】
（実施の形態１４）
図１８に示すように、実施の形態１４は実施の形態１１とほぼ同等の構成を有し、実施の形態１１と同一部分については同一番号を付し詳細な説明は省略する。検知対象物質２および検知対象物質捕捉物質８をレセプター３に近づけさせる方法として、動作電極４上面に対して垂直方向にペルチェ素子２９を設け、前記ペルチェ素子２９をサンプル溶液６および標識溶液９の液温以上に温めるように構成されている。
【０１７０】
上記構成において、前記ペルチェ素子２９付近の液温が上昇するため前記動作電極４方向に対流が起き前記検知対象物質２および前記検知対象物質捕捉物質８を移動させ、前記サンプル溶液６の上方にある検知対象物質２および前記標識溶液９の上方にある検知対象物質捕捉物質８を底面の動作電極４に固相化されているレセプター３および前記レセプター３と結合している前記検体対象物質２と接触し結合することができる。
【０１７１】
なお、前記レセプター３および前記検知対象物質捕捉物質８の材料は特に記載しなかったが、抗体、ＤＮＡ・ＲＮＡプローブ、ペプチド、など生体材料ならなんでもよい。
【０１７２】
また、前記動作電極４に用いる材料は、金や白金などの貴金属、カーボン、セラミックスなどの導電性の材料であり、目的の反応のみを高感度に検出し、他の反応の影響を受けにくい材料ならなんでもよい。
【０１７３】
また、前記検知対象物質捕捉物質８を介している構成としたが、前記検知対象物質８に酵素を標識してこれと前記サンプル溶液６とを混合させ、前記レセプター３と競合反応し結合させる方法をとってもよい。
【０１７４】
また、前記レセプター３と前記動作電極４との固相化方法について特に記載しなかったが、疎水結合，Ｓ−Ｓ結合等前記レセプター３を前記動作電極４上に固相化できれる方法ならなんでもよい。
【０１７５】
また、暖する装置として前記ペルチェ素子を記載したが、ヒータ、赤外線等加熱できるものなら何でもよい。
【０１７６】
（実施の形態１５）
図１９に示すように、実施の形態１５は実施の形態１１とほぼ同等の構成を有し、実施の形態１１と同一部分については同一番号を付し詳細な説明は省略する。検知対象物質２および検知対象物質捕捉物質８をレセプター３に近づけさせる方法として、動作電極４上面に対して垂直方向に電極３０を設け、前記電極３０を＋あるいは−にするように構成されている。
【０１７７】
上記構成において、前記電極３０を＋あるいは−にすることで前記電極３０と前記検知対象物質２および前記検知対象物質捕捉物質８との間に反発力が働き前記検知対象物質２および前記検知対象物質捕捉物質８を移動させ、前記サンプル溶液６の上方にある検知対象物質２および前記標識溶液９の上方にある検知対象物質捕捉物質８を底面の動作電極４に固相化されているレセプター３および前記レセプター３と結合している前記検体対象物質２と接触し結合することができる。
【０１７８】
なお、前記レセプター３および前記検知対象物質捕捉物質８の材料は特に記載しなかったが、抗体、ＤＮＡ・ＲＮＡプローブ、ペプチド、など生体材料ならなんでもよい。
【０１７９】
また、前記動作電極４に用いる材料は、金や白金などの貴金属、カーボン、セラミックスなどの導電性の材料であり、目的の反応のみを高感度に検出し、他の反応の影響を受けにくい材料ならなんでもよい。
【０１８０】
また、前記検知対象物質捕捉物質８を介している構成としたが、前記検知対象物質８に酵素を標識してこれと前記サンプル溶液６とを混合させ、前記レセプター３と競合反応し結合させる方法をとってもよい。
【０１８１】
また、前記レセプター３と前記動作電極４との固相化方法について特に記載しなかったが、疎水結合，Ｓ−Ｓ結合等前記レセプター３を前記動作電極４上に固相化できれる方法ならなんでもよい。
【０１８２】
（実施の形態１６）
図２０に示すように、実施の形態１６は実施の形態１１とほぼ同等の構成を有し、実施の形態１１と同一部分については同一番号を付し詳細な説明は省略する。検知対象物質２および検知対象物質捕捉物質８をレセプター３に近づけさせる方法として、動作電極４上から泡３１を発生させるように構成されている。
【０１８３】
上記構成において、前記泡３１がサンプル溶液６および標識溶液９の上方へ集め前記検知対象物質２および前記検知対象物質捕捉物質８を移動させ、前記サンプル溶液６の上方にある検知対象物質２および前記標識溶液９の上方にある検知対象物質捕捉物質８を底面の動作電極４に固相化されているレセプター３および前記レセプター３と結合している前記検体対象物質２と接触し結合することができる。
【０１８４】
なお、前記レセプター３および前記検知対象物質捕捉物質８の材料は特に記載しなかったが、抗体、ＤＮＡ・ＲＮＡプローブ、ペプチド、など生体材料ならなんでもよい。
【０１８５】
また、前記動作電極４に用いる材料は、金や白金などの貴金属、カーボン、セラミックスなどの導電性の材料であり、目的の反応のみを高感度に検出し、他の反応の影響を受けにくい材料ならなんでもよい。
【０１８６】
また、前記検知対象物質捕捉物質８を介している構成としたが、前記検知対象物質８に酵素を標識してこれと前記サンプル溶液６とを混合させ、前記レセプター３と競合反応し結合させる方法をとってもよい。
【０１８７】
また、前記レセプター３と前記動作電極４との固相化方法について特に記載しなかったが、疎水結合，Ｓ−Ｓ結合等前記レセプター３を前記動作電極４上に固相化できれる方法ならなんでもよい。
【０１８８】
（実施の形態１７）
図２１および図２２に示すように、実施の形態１７は実施の形態１１とほぼ同等の構成を有し、実施の形態１１と同一部分については同一番号を付し詳細な説明は省略する。検知対象物質２および検知対象物質捕捉物質８をレセプター３に近づけさせる方法として、サンプル溶液６および標識溶液９が液留め容器５内に滴下された後回転させるように構成されている。
【０１８９】
上記構成において、前記サンプル溶液６および前記標識溶液９が回転することによる遠心力が働き前記検知対象物質２および前記検知対象物質捕捉物質８を移動させ、前記サンプル溶液６の上方にある検知対象物質２および前記標識溶液９の上方にある検知対象物質捕捉物質８を底面の動作電極４に固相化されているレセプター３および前記レセプター３と結合している前記検体対象物質２と接触し結合することができる。
【０１９０】
なお、前記レセプター３および前記検知対象物質捕捉物質８の材料は特に記載しなかったが、抗体、ＤＮＡ・ＲＮＡプローブ、ペプチド、など生体材料ならなんでもよい。
【０１９１】
また、前記動作電極４に用いる材料は、金や白金などの貴金属、カーボン、セラミックスなどの導電性の材料であり、目的の反応のみを高感度に検出し、他の反応の影響を受けにくい材料ならなんでもよい。
【０１９２】
また、前記液留め容器５について材質は特に記載しなかったが、ＰＰ（ポリプロピレン）等前記サンプル溶液６，前記標識溶液９および基質に耐性をもっているものならなんでもよい。
【０１９３】
また、前記検知対象物質捕捉物質８を介している構成としたが、前記検知対象物質８に酵素を標識してこれと前記サンプル溶液６とを混合させ、前記レセプター３と競合反応し結合させる方法をとってもよい。
【０１９４】
また、前記レセプター３と前記動作電極４との固相化方法について特に記載しなかったが、疎水結合，Ｓ−Ｓ結合等前記レセプター３を前記動作電極４上に固相化できれる方法ならなんでもよい。
【０１９５】
（実施の形態１８）
図２３に示すように、実施の形態１８は実施の形態１１とほぼ同等の構成を有し、実施の形態１１と同一部分については同一番号を付し詳細な説明は省略する。検知対象物質２および検知対象物質捕捉物質８をレセプター３に近づけさせる方法として、液留め容器５内における動作電極４以外の基板１上に吸収剤３２を設けるように構成されている。
上記構成において、前記吸収剤３２に吸い込まれる力が働き前記検知対象物質２および前記検知対象物質捕捉物質８を移動させ、前記サンプル溶液６の上方にある検知対象物質２および前記標識溶液９の上方にある検知対象物質捕捉物質８を底面の動作電極４に固相化されているレセプター３および前記レセプター３と結合している前記検体対象物質２と接触し結合することができる。
【０１９６】
なお、前記基板１に用いる材料は、ガラス、合成樹脂など絶縁性のある材料であり、任意の厚さで形成され、前記動作電極４材料を安定的に固定化でき、前記サンプル溶液６，前記標識溶液９および前記基質１１等試薬溶液の影響を受けない材料ならなんでもよい。
【０１９７】
また、前記レセプター３および前記検知対象物質捕捉物質８の材料は特に記載しなかったが、抗体、ＤＮＡ・ＲＮＡプローブ、ペプチド、など生体材料ならなんでもよい。
【０１９８】
また、前記動作電極４に用いる材料は、金や白金などの貴金属、カーボン、セラミックスなどの導電性の材料であり、目的の反応のみを高感度に検出し、他の反応の影響を受けにくい材料ならなんでもよい。
【０１９９】
また、前記液留め容器５について材質は特に記載しなかったが、ＰＰ（ポリプロピレン）等前記サンプル溶液６，前記標識溶液９および基質に耐性をもっているものならなんでもよい。
【０２００】
また、前記検知対象物質捕捉物質８を介している構成としたが、前記検知対象物質８に酵素を標識してこれと前記サンプル溶液６とを混合させ、前記レセプター３と競合反応し結合させる方法をとってもよい。
【０２０１】
また、前記レセプター３と前記動作電極４との固相化方法について特に記載しなかったが、疎水結合，Ｓ−Ｓ結合等前記レセプター３を前記動作電極４上に固相化できれる方法ならなんでもよい。
【産業上の利用可能性】
【０２０２】
本発明にかかるアナライト結合反応方法は、サンプル溶液の上方にある検知対象物質および標識溶液の上方にある検知対象物質捕捉物質を底面に固相化されているレセプターおよび前記レセプターと結合している検体対象物質と接触し結合することができることを有し、検知対象物、例えば、抗原となり得る化学物質や環境ホルモンやタンパク質や微生物・ウイルス等迅速に検知するのに使用される環境分野や食品分野や医療分野の検査・診断におけるバイオセンサキットとして有用である。
【図面の簡単な説明】
【０２０３】
【図１】本発明の実施の形態１のアナライト反応結合方法の構成の断面図
【図２】同アナライト反応結合方法の構成の断面図
【図３】同アナライト反応結合方法の構成の断面図
【図４】同アナライト反応結合方法の比較データ図
【図５】本発明の実施の形態２のアナライト反応結合方法の構成の断面図
【図６】同アナライト反応結合方法の比較データ図
【図７】本発明の実施の形態３のアナライト反応結合方法の構成の断面図
【図８】本発明の実施の形態４のアナライト反応結合方法の構成の断面図
【図９】本発明の実施の形態５のアナライト反応結合方法の構成の断面図
【図１０】本発明の実施の形態６のアナライト反応結合方法の構成の断面図
【図１１】本発明の実施の形態７のアナライト反応結合方法の構成の断面図
【図１２】本発明の実施の形態８のアナライト反応結合方法の構成の断面図
【図１３】本発明の実施の形態９のアナライト反応結合方法の構成の断面図
【図１４】本発明の実施の形態１０のアナライト反応結合方法の構成の断面図
【図１５】本発明の実施の形態１１のアナライト反応結合方法の構成の断面図
【図１６】本発明の実施の形態１２のアナライト反応結合方法の構成の断面図
【図１７】本発明の実施の形態１３のアナライト反応結合方法の構成の断面図
【図１８】本発明の実施の形態１４のアナライト反応結合方法の構成の断面図
【図１９】本発明の実施の形態１５のアナライト反応結合方法の構成の断面図
【図２０】本発明の実施の形態１６のアナライト反応結合方法の構成の断面図
【図２１】本発明の実施の形態１７のアナライト反応結合方法の構成の断面図
【図２２】同アナライト反応結合方法の構成の断面図
【図２３】本発明の実施の形態１８のアナライト反応結合方法の構成の断面図
【図２４】従来のアナライト反応結合方法の構成の断面図
【図２５】同アナライト反応結合方法の構成の断面図
【符号の説明】
【０２０４】
１      基板
２      検知対象物質
３      レセプター
４      動作電極
５      液留め容器
６      サンプル溶液
７      酵素
８      検知対象物質捕捉物質
９      標識溶液
１０    酵素反応物質
１１    基質
１２    ポテンショスタット
１３    銀塩化銀参照極
１４    加振機
１５    ばね
１６    磁性体
１７    磁体
１８    帯電部位
１９    電極
２０    変形部位
２１    ペルチェ素子
２２    膜
２３    磁性体
２４    磁体
２５    電極
２６    分注器
２７    磁性体
２８    磁体
２９    ペルチェ素子
３０    電極
３１    泡
３２    吸収剤
１０１  検知対象物質
１０２  レセプター
１０３  凹部
１０４  基板
１０５  撹拌装置
１０６  サンプル溶液
１０７  酵素
１０８  検知対象物質捕捉物質
１０９  標識溶液
１１０  酵素反応物質
１１１  基質
【図１】
2006098110.tif 000003
【図２】
2006098110.tif 000004
【図３】
2006098110.tif 000005
【図４】
2006098110.tif 000006
【図５】
2006098110.tif 000007
【図６】
2006098110.tif 000008
【図７】
2006098110.tif 000009
【図８】
2006098110.tif 000010
【図９】
2006098110.tif 000011
【図１０】
2006098110.tif 000012
【図１１】
2006098110.tif 000013
【図１２】
2006098110.tif 000014
【図１３】
2006098110.tif 000015
【図１４】
2006098110.tif 000016
【図１５】
2006098110.tif 000017
【図１６】
2006098110.tif 000018
【図１７】
2006098110.tif 000019
【図１８】
2006098110.tif 000020
【図１９】
2006098110.tif 000021
【図２０】
2006098110.tif 000022
【図２１】
2006098110.tif 000023
【図２２】
2006098110.tif 000024
【図２３】
2006098110.tif 000025
【図２４】
2006098110.tif 000026
【図２５】
2006098110.tif 000027